(57)【要約】【課題】給電板に高精度で、しかも簡単にアンテナ板を実装できるラジアルラインスロット・アンテナを提供する。【解決手段】アンテナ板２１の直径をＤ、中心周波数の波長をλとしたとき、アンテナ板２１の裏面に中心から０．５（Ｄ−４λ）〜０．５Ｄの領域に略０．１０λ以下のマーカ２２を設け、給電板にマーカ２２の位置と同じ位置にそのマーカが見えるような大きさの貫通穴を設けて、貫通穴の中心にマーカ２２が位置しているかどうかを確認してから給電板にアンテナ板２１を実装する。【選択図】　　　　図１
2004080574.tif 000002
【特許請求の範囲】
【請求項１】
電磁波を送受信するスロット素子を有する面の反対側の裏面の中心に給電素子が設けられたアンテナ板と、アンテナ板の裏面が当接して実装され、前記アンテナに電磁波を給電可能な給電口が設けられた給電板とを有するラジアルラインスロット・アンテナにおいて、
前記アンテナ板の直径をＤ、中心周波数の波長をλとしたとき、前記アンテナ板の裏面に中心から略０．５（Ｄ−４λ）〜０．５Ｄの領域に最大寸法略０．１０λ以下のマーカを設け、
前記給電板に前記マーカの位置と同じ位置にそのマーカが見えるような大きさの貫通穴を設け、
前記貫通穴の中心に前記マーカが位置しているかどうかを確認してから前記給電板にアンテナ板を実装することを特徴とするラジアルラインスロット・アンテナ。
【請求項２】
前記マーカは前記領域の周方向に複数配置され、前記貫通穴を各マーカの位置にそれぞれ対応して設けられていることを特徴とする請求項１記載のラジアルラインスロット・アンテナ。
【請求項３】
前記マーカは、前記領域の周方向に異なった位置で、かつアンテナ板の中心からの距離が異なった位置にそれぞれ配置され、前記貫通穴を各マーカの位置にそれぞれ対応して設けられていることを特徴とする請求項１記載のラジアルラインスロット・アンテナ。
【請求項４】
前記アンテナ板上のマーカと給電素子は同時に形成されることを特徴とする請求項１〜３の何れかに記載のラジアルラインスロット・アンテナ。
【請求項５】
前記マーカは、円形、楕円形、星形或いは多角形の何れかの形状でなっていることを特徴とする請求項１〜４の何れかに記載のラジアルラインスロット・アンテナ。
【請求項６】
前記給電板の貫通穴は、アンテナ板の裏面に当接する一方の面に形成された形状よりも他方の面に形成された形状の方が大きくなっていることを特徴とする請求項１〜５の何れかに記載のラジアルラインスロット・アンテナ。
【発明の詳細な説明】
【０００１】
【発明の属する技術分野】
本発明は、ラジアルラインスロット・アンテナ、特に給電口を有する給電板と裏面に給電素子を有するアンテナ板の構造に関するものである。
【０００２】
【従来の技術】
近年、無線通信技術の目覚ましい発展に伴って各種通信機器に割り当てられた周波数帯域が不足しがちで、これを補うために周波数の有効利用と高域への移動に必要な技術開発が緊急課題になっている。例えば、従来殆ど基礎研究にしか用いられていないミリ波は高度道路交通システム（ＩＴＳ：Ｉｎｔｅｌｌｉｇｅｎｔ　Ｔｒａｎｓｐｏｒｔ　Ｓｙｓｔｅｍ）に用いられるようになり、近い将来、日本や欧米のような車社会ではミリ波関連通信機器が家電並みに利用されると予測される。
【０００３】
前述したミリ波通信分野においては、各種部品と装置のミリ波化が必要不可欠になることは当然であるが、最も重要な装置の一つはアンテナである。現在、ミリ波通信の研究開発に参加している世界中の研究機関やメーカは高性能なミリ波アンテナを競って開発している。今までに開発されたミリ波アンテナの構成は種々あるが、この中で特性的にかなり優れているミリ波アンテナの一つはラジアルラインスロット・アンテナが挙げられる（参考文献：『ラジアルラインスロット・アンテナ励振用平面給電回路の試作・著者：秋山、広川、安藤・２０００年電子情報通信学会総合大会・Ｂ−１−１２５，２０００年３月　』、『同心円ラジアルラインスロット・アンテナの給電回路・著者：石井、小塩、後藤・２０００年電子情報通信学会総合大会・Ｂ−１−１２８，２０００年３月　』）。このラジアルラインスロット・アンテナは、円偏波アンテナとして開発され、多くの長所を有しているため、近い将来、無線ＬＡＮをはじめ、移動体通信のミリ波帯のアンテナとして重要な役割を担うことになると予測される。
【０００４】
なお、前述したラジアルラインスロット・アンテナの名称を簡素化するためにＲａｄｉａｌ　Ｌｉｎｅ　Ｓｌｏｔ　Ａｎｔｅｎｎａの頭文字を使ってＲＬＳＡと呼ぶことが多いが、これ以降は、他の電子部品との混同を避けるためにＲＬＳアンテナと省略して説明する。
【０００５】
図５は従来のアンテナ板の説明図である。図中の（ａ）はアンテナ板の表面を示す平面図、（ｂ）は裏面を示す平面図、（ｃ）はアンテナ板の側面図である。この図に示す従来のアンテナ板１は、所定の厚みを有する誘電体からなる円形のプリント基板で、両面に金属箔（銅箔）が施されている。表面には、（ａ）に示すようにエッチングにより形成された交差しない２本一組のスロット２が、アンテナ板１の中心を軸として周方向に等間隔に施されている。この２本一組のスロット２は、前述のエッチングによってプリント基板の誘電体が露出して形成されたもので、円偏波が放射されるように位置的に互いに直角に配置されている。なお、スロット２の幅及び長さ、１周当たりのスロット２の数、スロット２の周数はＲＬＳアンテナの仕様によって決定され、プリント基板の誘電体の厚み、誘電率及び金属箔の厚みもスロット２の構造にある程度寄与している。
【０００６】
また、このアンテナ板１の裏面には、（ｂ）に示すようにアンテナ板１の中心に給電素子３がエッチングにより形成されている。この給電素子３は、後述するリングスロットと摂動子とからなっており、その形状及び寸法は、給電導波管との間に設けられる給電板の給電口寸法によって決定される。このアンテナ板１の両面を覆っている銅箔はアース（電位：０Ｖ　）となるので、その状態を保持するためにアンテナ板１の側面全体に金属箔等が施されている。これは、誘電体の中に給電される電磁波がアンテナ板１の側面から漏洩しないようにするためである。
【０００７】
図６はアンテナ板の裏面に設けられた給電素子の説明図である。図中の（ａ）はアンテナ板の裏面の拡大平面図、（ｂ）はリングスロットと摂動子の拡大平面図である。
この図に示す給電素子３は、前述したようにリングスロット３ａと摂動子３ｂとからなり、リングスロット３ａは、アンテナ板１の中心軸を中心に形成された所定幅を有するリング状のパターンからなり、摂動子３ｂは、リングスロット３ａと同様にアンテナ板１の中心軸を中心に所定の幅と長さとを有する長方形状のパターンからなっている。この摂動子３ｂは、（ａ）の平面上においてＹ軸方向の仮想の主線１ａより反時計方向に角度θ傾いている（参考文献：『リングスロットを介した方形導波管によるラジアル線路の回転モード励振・著者：須藤、広川、安藤・２０００年電子情報通信学会総合大会・Ｂ−１−１２６，２０００年３月　』、『同心円ラジアルラインスロット・アンテナの給電回路・著者：須藤、秋山、広川、安藤・２０００年電子情報通信学会通信ソサイエティ・Ｂ−１−６２，２０００年９月　』）。
【０００８】
リングスロット３ａと摂動子３ｂ並びに摂動子３ｂの角度θは、後述する給電板の給電口寸法とでＲＬＳアンテナ全体の入力インピーダンスを決定するため、それぞれの寸法と配置に高精度が要求される。例えば、４０ＧＨｚ　帯では、前記の角度θが三十数度で、少数一桁以上の実装精度が要求されることになる。
【０００９】
図７は従来の給電板の説明図である。図中の（ａ）は給電板の表面を示す平面図、（ｂ）は給電板のＡ−Ａ’断面図、（ｃ）は給電板のＣ−Ｃ’断面図、（ｄ）は給電板のＢ−Ｂ’及びＤ−Ｄ’断面図、（ｅ）は給電板の裏面を示す平面図である。
【００１０】
この図に示す給電板４は、例えば５ｍｍ以上の厚みを有する黄銅からなり、形状と平面寸法はアンテナ板１を収納できる大きさになっている。中心には軸方向に貫通された矩形状の給電口５が設けられ、この給電口５の寸法は、アンテナ板１のリングスロット３ａと摂動子３ｂの寸法に合わせて、使用周波数におけるインピーダンス整合が成立するように設計されている。
【００１１】
また、給電板４の表面側の外周には、（ａ）（ｄ）に示すように、内側の寸法がアンテナ板１の直径よりも数十ミクロン程度大きく形成されたサイドストッパ６が設けられている。このサイドストッパ６内にアンテナ板１を収納した際、アンテナ板１の中心と給電口５の中心とが一致するようになっている。給電板４の側面には、（ｂ）及び（ｃ）に示すように、ＲＬＳアンテナ全体を他の装置（図示せず）に固定するためのネジ穴７が設けられている。また、裏面には、（ｅ）に示すように、後述する給電導波管との位置合わせのためのピン穴８と取付用のネジ穴９とが設けられている。
【００１２】
ここで、ＲＬＳアンテナの組み立てについて図８及ぶ図９を用いて説明する。図８はＲＬＳアンテナの組み立てを示す断面図、図９はアンテナ板の給電素子と給電板の給電口と給電導波管の開口部との位置関係を示す拡大平面図である。この図９は給電導波管側から見た平面図である。
【００１３】
まず、給電板４の表面とアンテナ板１の裏面とが合わさるように、アンテナ板１を給電板４のサイドストッパ６の内側に納める。この時、サイドストッパ６によりアンテナ板１の中心と給電板４の中心とが一致するが、アンテナ板１の裏面に形成された給電素子３の摂動子３ｂの角度が所定角度θになっていないので、例えばアンテナの反射損失特性あるいはインピーダンス特性を見ながらアンテナ板１の角度を微調整して、摂動子３ｂの角度が所定角度θになるようにする。その後は、アンテナ板１を導電性接着剤や、導電性接着シート等で給電板４に電気的に接続する。
【００１４】
次に、アンテナ板１が実装された給電板４の給電口５と給電導波管１１の開口部１２の向きが合うように、給電板４の裏面に設けられた４つのピン穴８に給電導波管１１の各ピン１３をそれぞれ挿入する。そして、給電導波管１１に設けられた４つのネジ穴１４を介して給電板４の各ネジ穴９にネジ１５をそれぞれねじ込んで、アンテナ板１が実装された給電板４を給電導波管１１に固定する（図８（ｂ）参照）。
【００１５】
このようにして組み立てたＲＬＳアンテナを給電導波管側から見た場合、図９に示すように、リングスロット３ａの中心が給電口５（破線）と開口部１２の共通の中心軸上に位置し、摂動子３ｂの角度が、仮想の主線１ａよりθ傾いた状態となっている。なお、図８（ｂ）に示す「１６」は、ＲＬＳアンテナの指向性を示している。
【００１６】
【発明が解決しようとする課題】
ところで、ＲＬＳアンテナの給電口５におけるインピーダンス整合をよくするためには、給電板４の給電口５に対するアンテナ板１の裏面に設けられたリングスロット３ａと摂動子３ｂの配置を高精度で設定しなければならず、このため、従来では、前述したようにアンテナの反射損失特性あるいはインピーダンス特性を見ながらアンテナ板１の角度を微調整しているが、調整に時間を要していた。また、精度を向上させるために、ＲＬＳアンテナの形状に合った種々の計測器具を用いてアンテナ板１を給電板４に実装する方法があるが、ＲＬＳアンテナの量産化、低価格化が困難であった。
【００１７】
【課題を解決するための手段】
本発明に係るラジアルラインスロット・アンテナは、電磁波を送受信するスロット素子を有する面の反対側の裏面の中心に給電素子が設けられたアンテナ板と、アンテナ板の裏面が当接して実装され、アンテナに電磁波を給電可能な給電口が設けられた給電板とを有するラジアルラインスロット・アンテナにおいて、アンテナ板の直径をＤ、中心周波数の波長をλとしたとき、アンテナ板の裏面に中心から略０．５（Ｄ−４λ）〜０．５Ｄの領域に最大寸法略０．１０λ以下のマーカを設け、給電板にマーカの位置と同じ位置にそのマーカが見えるような大きさの貫通穴を設け、その貫通穴の中心にマーカが位置しているかどうかを確認してから給電板にアンテナ板を実装する。
【００１８】
本発明においては、アンテナ板の裏面と給電板の一方の面とを合わせたとき、給電板の貫通穴の中心にアンテナ板の裏面に設けたマーカが位置しているかどうかを確認してからアンテナ板を給電板に実装する。このように、アンテナ板の裏面に設けた位置合わせ用のマーカを設けることにより、アンテナ板の給電素子と給電板の給電口との位置関係を目測で簡単に確認でき、アンテナ板の実装が容易になる。
【００１９】
【発明の実施の形態】
実施の形態１．
図１は本発明の実施の形態１に係るＲＬＳアンテナのアンテナ板の裏面を示す平面図、図２は実施の形態１に係るＲＬＳアンテナの給電板の説明図である。図中の（ａ）は給電板の表面を示す平面図、（ｂ）は給電板のＡ−Ａ’断面図、（ｃ）は給電板のＣ−Ｃ’断面図、（ｄ）は給電板のＢ−Ｂ’及びＤ−Ｄ’断面図、（ｅ）は給電板の裏面を示す平面図である。
なお、図５〜図８で説明した従来例と同一又は相当部分には同じ符号を付し説明を省略する。
【００２０】
実施の形態１におけるアンテナ板２１の裏面には、前述した従来例と同様に中心にリングスロット３ａ及び摂動子３ｂからなる給電素子３と、その中心を軸に周方向に設けられた例えば４個のマーカ２２とが設けられている。このマーカ２２は、エッチングによって形成された例えば直径０．０５λの円形パターンで、例えば、摂動子３ｂと角度θをなす仮想の主線１ａを基準として両側に４５度傾いて中心軸を直交する仮想の２本の主線１ｂ、１ｃと、アンテナ板２１の直径をＤ及びＲＬＳアンテナの中心周波数の波長をλとしたとき半径を０．５（Ｄ−２λ）　とする仮想の円１ｄとの交点上にそれぞれ配置されている。なお、前述したリングスロット３ａと摂動子３ｂはエッチングのプロセスで同時に形成されるので、その寸法及び位置の精度は極めて良好で誤差が５０μｍ程度である。
【００２１】
給電板２３は、アンテナ板２１の裏面に形成された４個のマーカ２２（円形パターン）の各中心軸をそれぞれ中心とする４個の貫通穴２４が設けられている（図２（ａ）参照）。この貫通穴２４は、例えば、給電板２３の表面側の穴の直径が０．０５λ＋１００μｍ　、裏面側の穴の直径は０．０５λ＋５００μｍ　となっていて、その断面は、図２（ｄ）に示すように漏斗を逆さにしたような形状になっている。裏面側の穴が大きいのは、アンテナ板２１に設けられたマーカ２２を見やすくするためである。
【００２２】
次に、実施の形態１のＲＬＳアンテナの組み立てについて説明する。なお、この組み立ては、基本的には従来例と同じであるため、図８及び図９を参照しながら説明する。
まず、給電板２３の表面とアンテナ板２１の裏面とが合わさるように、アンテナ板２１を給電板２３のサイドストッパ６の内側に納める。この時、サイドストッパ６によりアンテナ板２１の中心と給電板２３の中心とが一致するが、アンテナ板２１の裏面に形成された給電素子３の摂動子３ｂの角度が所定角度θになっていないので、給電板２３に設けられた貫通穴２４を通してアンテナ板２１に形成された円形パターンのマーカ２２を探す。
【００２３】
この場合、例えば、給電板２３の給電口５とアンテナ板２１の摂動子３ｂが図９に示すような位置関係になるように設定し、そして、アンテナ板２１あるいは給電板２３の何れかを周方向に動かしながら給電板２３の貫通穴２４から前記のマーカ２２を探し、それぞれのマーカ２２を各貫通穴２４から確認したときは中心に設定して、導電性接着剤や導電性接着シート等でアンテナ板２１と給電板２３とを電気的に接続する。
【００２４】
次に、アンテナ板２１が実装された給電板２３の給電口５と給電導波管１１の開口部１２の向きが合うように、給電板２３の裏面に設けられた４つのピン穴８に給電導波管１１の各ピン１３をそれぞれ挿入する。そして、給電導波管１１に設けられた４つのネジ穴１４を介して給電板２３の各ネジ穴９にネジ１５をそれぞれねじ込んで、アンテナ板２１が実装された給電板２３に給電導波管１１を固定する。
【００２５】
以上のように実施の形態１によれば、アンテナ板２１の裏面に形成されたマーカ２２を、給電板２３に設けられた貫通穴２４の中心に設定したときに、給電板２３の給電口５とアンテナ板２１のリングスロット３ａ及び摂動子３ｂとが最適な位置関係になるようにしたので、目測でも簡単に、しかも迅速に調整できるようになり、このため、ＲＬＳアンテナの量産化が計れ、低価格化、高性能化に大きく貢献できるという効果がある。
【００２６】
また、給電板２３の給電口５とアンテナ板２１のリングスロット３ａ及び摂動子３ｂとの位置関係が高精度になるため、入力インピーダンス特性が向上し、ＲＬＳアンテナ全体の特性を大きく改善でき、アンテナの重要な特性の一つである軸比が低くなり、極めて良好な円偏波の送受信が可能になる。
【００２７】
なお、前記のＲＬＳアンテナは、ミリ波通信用として自動料金受収システム（ＥＴＣ：Ｅｌｅｃｔｒｏｎｉｃ　Ｔｏｌｌ　Ｃｏｌｌｅｃｔｉｏｎ）やＩＴＳ、室内ＬＡＮに使用できるものであるが、アンテナの周波数帯域をミリ波帯から十数ＧＨｚ　又は数ＧＨｚ　に落として使用できるようにしてもよい。この場合、アンテナ板の寸法は大きくなるが、給電口と給電用のリングスロット及び摂動子との位置合わせ精度がさらに向上し、アンテナの利得及び軸比がさらに改善され、用途を拡大できる。
【００２８】
また、アンテナ板のスロットの周数を増やした場合、放射利得がさらに高くなり、主ビーム幅も鋭くなるのでパラボラアンテナのような高利得アンテナを必要とするシステムにも利用できる。例えば、電話通信基地局の中継用アンテナ、テレビ基地局の中継用アンテナ、衛星通信用アンテナ、電波望遠鏡用アンテナ等が挙げられる。
【００２９】
実施の形態２．
図３は本発明の実施の形態２に係るＲＬＳアンテナのアンテナ板の裏面を示す平面図、図４は実施の形態２に係るＲＬＳアンテナの給電板の説明図である。図中の（ａ）は給電板の表面を示す平面図、（ｂ）は給電板のＡ−Ａ’断面図、（ｃ）は給電板のＣ−Ｃ’断面図、（ｄ）は給電板のＤ−Ｄ’断面図、（ｅ）はＢ−Ｂ’断面図、（ｆ）は給電板の裏面を示す平面図である。
なお、図１及び図２で説明した実施の形態１と同一又は相当部分には同じ符号を付し説明を省略する。
【００３０】
実施の形態２に係るＲＬＳアンテナは、アンテナ板２１の裏面に、実施の形態１と同様に中心にリングスロット３ａ及び摂動子３ｂからなる給電素子３と、その中心を軸に周方向に設けられ、エッチングによって形成された例えば直径０．０５λの円形パターンのマーカ２２ａ〜２２ｄとが設けられている。
【００３１】
例えば、マーカ２２ａは、アンテナ板２１の中心軸を直交する仮想の主線１ｃと、その中心軸を中心とする半径０．５（Ｄ−２λ）　の仮想の円１ｄとの交点上に配置され、マーカ２２ｂは、前記の主線１ｃと、半径０．５（Ｄ−２λ）−１０００μｍ　の仮想の円１ｆとの交点上に配置され、また、マーカ２２ｃは、アンテナ板２１の中心軸を直交する仮想の主線１ｂと、その中心軸を中心とする半径０．５（Ｄ−２λ）−５００μｍの仮想の円１ｅとの交点上に配置され、マーカ２２ｄは、前記の主線１ｂと、半径０．５（Ｄ−２λ）−１５００μｍ　の仮想の円１ｇとの交点上に配置されている。なお、前記のＤはアンテナ板２１の直径で、λはＲＬＳアンテナの中心周波数の波長である。
【００３２】
例えば、４０ＧＨｚ　の周波数帯域においては、マーカ２２ａ〜２２ｄの直径がおよそ３００μｍ　となるので、前述したようにアンテナ板２１の中心からの距離を５００μｍ　づつずらすことで各マーカ２２ａ〜２２ｄを完全に識別でき、実施の形態１と比べて容易に位置関係を認識できる。
【００３３】
給電板２３は、アンテナ板２１の裏面に形成された各マーカ２２ａ〜２２ｄにそれぞれ対応して４個の貫通穴２４ａ〜２４ｄが設けられている（図４（ａ）参照）。例えば、貫通穴２４ａは、給電板２３の中心軸を直交する仮想の主線１ｃと、その中心軸を中心とする半径０．５（Ｄ−２λ）　の仮想の円１ｄとの交点上に配置され、貫通穴２４ｂは、前記の主線１ｃと、半径０．５（Ｄ−２λ）−１０００μｍ　の仮想の円１ｆとの交点上に配置され、また、貫通穴２４ｃは、給電板２３の中心軸を直交する仮想の主線１ｂと、その中心軸を中心とする半径０．５（Ｄ−２λ）−５００μｍの仮想の円１ｅとの交点上に配置され、貫通穴２４ｄは、前記の主線１ｂと、半径０．５（Ｄ−２λ）−１５００μｍ　の仮想の円１ｇとの交点上に配置されている。なお、各貫通穴２４ａ〜２４ｄは、実施の形態１と同様に、給電板２３の表面側の穴の直径が０．０５λ＋１００μｍ、裏面側の穴の直径は０．０５λ＋５００μｍとなっていて、その断面は、図４（ｄ）（ｅ）に示すように漏斗を逆さにしたような形状になっている。
【００３４】
このように各貫通穴２４ａ〜２４ｄが配置された給電板２３を前記の主線１ａを軸として１８０度反転して、図３に示すアンテナ板２１の裏面と対向させて重ねると、貫通穴２４ａからはマーカ２２ａを、貫通穴２４ｂからはマーカ２２ｂを確認でき、また、貫通穴２４ｃからはマーカ２２ｃを、貫通穴２４ｄからはマーカ２２ｄを確認できる。
【００３５】
以上のように実施の形態２によれば、アンテナ板２１の裏面に形成されたマーカ２２ａ〜２２ｄと、給電板２３に設けられた貫通穴２４ａ〜２４ｄとが完全に一致する位置は一通りしかないので、給電板２３の給電口５とアンテナ板２１のリングスロット３ａ及び摂動子３ｂとの位置関係を間違えることなく組み立てることができ、このため、目測による調整がより速やかにできるようになり、ＲＬＳアンテナの量産化が計れ、低価格化、高性能化に大きく貢献できるという効果がある。
【００３６】
また、加工精度が実施の形態１と同様に良好なので、アンテナ板２１のリングスロット３ａ及び摂動子３ｂを高精度で給電板２３の給電口５の中心に所望の角度θで容易に配置することができる。
【００３７】
なお、実施の形態１では、アンテナ板２１の中心から距離０．５（Ｄ−２λ）　の位置に周方向に４個のマーカ２２を設けたことを、また、実施の形態２では、アンテナ板２１の中心から距離０．５（Ｄ−２λ）　と０．５（Ｄ−２λ）−１５００μｍ　との間に周方向に４個のマーカ２２ａ〜２２ｄを設けたことを述べたが、アンテナ板２１の中心から０．５（Ｄ−４λ）　と０．５Ｄ　との範囲内の領域で、実質的に位置合わせが容易に行えるならばどこでもよい。
【００３８】
また、マーカの形状を円形にしたことを述べたが、最大寸法が略０．１λ　であれば、必ずしも円形でなくてもよい。例えば、楕円形や星形、或いは多角形等、エッチングによって形成できる形状のものであればよい。
【００３９】
さらに、実施の形態１及び実施の形態２では、位置合わせ用のマーカの数を４個にしたが、これに限定されることはなく、実質的に位置合わせが容易に行えるならばいくつでもよい。また、マーカ確認用の貫通穴は漏斗を逆さにしたような形状としたが、これに限定されることはなく、マーカを容易に確認できるような貫通穴であればどのような形状でもよい。
【００４０】
【発明の効果】
以上のように本発明によれば、アンテナ板の裏面に形成されたマーカを、給電板に設けられた貫通穴の中心に設定したときに、給電板の給電口とアンテナ板の給電素子とが最適な位置関係になるようにしたので、目測でも簡単に、しかも迅速に調整できるようになり、このため、ＲＬＳアンテナの量産化が計れ、低価格化、高性能化に大きく貢献できるという効果がある。
【図面の簡単な説明】
【図１】本発明の実施の形態１に係るＲＬＳアンテナのアンテナ板の裏面を示す平面図である。
【図２】実施の形態１に係るＲＬＳアンテナの給電板の説明図である。
【図３】本発明の実施の形態２に係るＲＬＳアンテナのアンテナ板の裏面を示す平面図である。
【図４】実施の形態２に係るＲＬＳアンテナの給電板の説明図である。
【図５】従来のアンテナ板の説明図である。
【図６】アンテナ板の裏面に設けられた給電素子の説明図である。
【図７】従来の給電板の説明図である。
【図８】ＲＬＳアンテナの組み立てを示す断面図である。
【図９】アンテナ板の給電素子と給電板の給電口と給電導波管の開口部との位置関係を示す拡大平面図である。
【符号の説明】
３　給電素子
３ａ　リングスロット
３ｂ　摂動子
５　給電口
２１　アンテナ板
２２，２２ａ〜２２ｄ　マーカ
２３　給電板
２４，２４ａ〜２４ｄ　貫通穴
【図１】
2004080574.tif 000003
【図２】
2004080574.tif 000004
【図３】
2004080574.tif 000005
【図４】
2004080574.tif 000006
【図５】
2004080574.tif 000007
【図６】
2004080574.tif 000008
【図７】
2004080574.tif 000009
【図８】
2004080574.tif 000010
【図９】
2004080574.tif 000011